(57)【特許請求の範囲】
【請求項１】
本体装置と、
前記本体装置側に閉じられた状態と、前記本体装置から開かれた状態とを取り得る表示装置と、
前記本体装置の内部に固定された固定ブラケット部を有し、前記表示装置を前記本体装置に対して回動可能に支持するヒンジ部材と、
前記表示装置の搭載部品と前記本体装置の内部部品とを接続すると共に、前記本体装置の内部において前記固定ブラケット部に沿って配線されたケーブルと、
前記ケーブルのうち前記固定ブラケット部に沿って配線された部分を覆うシート材と、
を備え、
前記シート材は、アーチ状に形成され、
前記ケーブルのうち前記固定ブラケット部に沿って配線された部分は、前記シート材の内側に挿入され、
前記シート材の一方の基端部は、前記本体装置に設けられた固定部に固定され、
前記シート材の他方の基端部には、前記固定ブラケット部に貫通して形成された固定穴に挿入された挿入部と、前記挿入部の先端に形成されて前記固定穴の出口側の縁部に係止された係止部とが形成されている、
情報処理装置。
【請求項２】
前記ケーブルのうち前記固定ブラケット部に沿って配線された部分は、前記本体装置の厚さ方向視において、前記ヒンジ部材のヒンジ軸と直交する方向に延びている、
請求項１に記載の情報処理装置。
【請求項３】
前記本体装置は、前記本体装置の厚さ方向に分割されたアッパーカバー及びロアカバーを有するケースを備え、
前記ヒンジ部材、前記ケーブルのうち前記固定ブラケット部に沿って配線された部分、及び、前記シート材は、前記ケースの内部に収容され、
前記シート材は、前記本体装置の厚さ方向を高さ方向とすると共に前記ロアカバー側に頂部を有するアーチ状に形成され、
前記頂部は、前記ロアカバーに当接されている、
請求項１又は請求項２に記載の情報処理装置。
【請求項４】
前記シート材は、前記頂部が前記ロアカバーに当接された状態において弾性圧縮されている、
請求項３に記載の情報処理装置。
【発明の詳細な説明】
【技術分野】
【０００１】
本願の開示する技術は、情報処理装置に関する。
【背景技術】
【０００２】
情報処理装置としては、例えば、本体装置と表示装置とを備えるものがある。この情報処理装置において、表示装置は、ヒンジ部材を介して本体装置に回動可能に支持されており、本体装置側に閉じられた状態と、本体装置から開かれた状態とを取り得る。また、この種の情報処理装置のなかには、表示装置の搭載部品と本体装置の内部部品とがケーブルで接続されたものがある（例えば、特許文献１参照）。
【先行技術文献】
【特許文献】
【０００３】
【特許文献１】特開２０１３−７７２５７号公報
【特許文献２】特開２００２−１３５９４７号公報
【発明の概要】
【発明が解決しようとする課題】
【０００４】
本体装置の内部にヒンジ部材の固定ブラケット部が固定された情報処理装置において、ケーブルが本体装置の内部において固定ブラケット部に沿って配線された場合、本体装置の組立時にケーブルが本体装置のケース等に噛み込まれ、ケーブルが傷付く虞がある。
【０００５】
本願の開示する技術は、一つの側面として、本体装置の組立時にケーブルが傷付くことを抑制できる情報処理装置を提供することを目的とする。
【課題を解決するための手段】
【０００６】
上記目的を達成するために、本願の開示する技術の情報処理装置は、本体装置と、表示装置と、ヒンジ部材と、ケーブルと、シート材とを備える。表示装置は、本体装置側に閉じられた状態と、本体装置から開かれた状態とを取り得る。ヒンジ部材は、本体装置の内部に固定された固定ブラケット部を有し、表示装置を本体装置に対して回動可能に支持する。ケーブルは、表示装置の搭載部品と本体装置の内部部品とを接続すると共に、本体装置の内部において固定ブラケット部に沿って配線されている。シート材は、ケーブルのうち固定ブラケット部に沿って配線された部分を覆う。また、シート材は、アーチ状に形成され、ケーブルのうち固定ブラケット部に沿って配線された部分は、シート材の内側に挿入され、シート材の一方の基端部は、本体装置に設けられた固定部に固定され、シート材の他方の基端部には、固定ブラケット部に貫通して形成された固定穴に挿入された挿入部と、挿入部の先端に形成されて固定穴の出口側の縁部に係止された係止部とが形成されている。
【発明の効果】
【０００７】
本願の開示する技術によれば、本体装置の組立時にケーブルが傷付くことを抑制することができる
【図面の簡単な説明】
【０００８】
【図１】ノート型パーソナルコンピュータの斜視図である。
【図２】本体装置の分解斜視図である。
【図３】ヒンジ部材の周辺部の拡大斜視図である。
【図４】図３とは異なる方向から見たヒンジ部材の周辺部の拡大斜視図である。
【図５】ヒンジ部材の周辺部の分解斜視図である。
【図６】図５とは異なる方向から見たヒンジ部材の周辺部の分解斜視図である。
【図７】ヒンジ部材の斜視図である。
【図８】ヒンジ部材の底面図である。
【図９】シート材の斜視図である。
【図１０】本体装置の要部拡大縦断面図である。
【発明を実施するための形態】
【０００９】
以下、本願の開示する技術の一実施形態を説明する。
【００１０】
本実施形態では、「情報処理装置」の一例として、ノート型パーソナルコンピュータについて説明する。図１には、本実施形態に係るノート型パーソナルコンピュータ１０が斜視図にて示されている。
【００１１】
各図の矢印ＵＰ、矢印ＦＲ、及び、矢印ＲＨは、ノート型パーソナルコンピュータ１０の高さ方向の上側、奥行方向の手前側（前側）、及び、横幅方向の右側をそれぞれ示している。図１に示されるように、ノート型パーソナルコンピュータ１０は、本体装置１２及び表示装置１４を備える。
【００１２】
本体装置１２には、キーボードユニット１６が設けられ、表示装置１４には、例えば液晶表示器などの表示器１８が設けられている。表示装置１４は、本体装置１２に回動可能に固定されている。この表示装置１４は、本体装置１２側に閉じられた状態と、本体装置１２から開かれた状態とを取り得る。図１では、表示装置１４が開かれた状態で示されている。
【００１３】
図２には、本体装置１２が分解斜視図にて示されている。図２に示されるように、本体装置１２は、偏平箱型のケース２０を備える。このケース２０は、本体装置１２の厚さ方向に二分割されたアッパーカバー２２及びロアカバー２４を有する。本体装置１２は、光ディスクドライブユニット２６、メイン基板２８、サブ基板３０、及び、バッテリ３２等を有する。このうち、光ディスクドライブユニット２６、メイン基板２８、サブ基板３０は、ケース２０の内部に収容されている。ケース２０の内部に収容される部品は、アッパーカバー２２及びロアカバー２４のうちアッパーカバー２２側に組み付けられる。
【００１４】
メイン基板２８には、上述の表示器１８の駆動等を行うための複数の電子部品が実装されている。一方、サブ基板３０には、メイン基板２８が元々有する機能が移設されるか、又は、機能拡張のための部品（例えば、インターフェースコネクタ）などが実装される。バッテリ３２は、本体装置１２の横幅方向に延びており、本体装置１２の後側の端部に設けられる。
【００１５】
本体装置１２の内部の後側の角隅部には、ヒンジ部材３４がそれぞれ設けられている。図３〜図６には、ヒンジ部材３４の周辺部がそれぞれ拡大されて示されている。また、図７，図８には、ヒンジ部材３４が単体で示されている。
【００１６】
図７，図８に示されるように、ヒンジ部材３４は、固定ブラケット部３６と、縦壁部３８と、ヒンジ軸４０とを有する。固定ブラケット部３６は、平板状に形成されており、縦壁部３８は、固定ブラケット部３６に対して垂直に折り曲げられている。ヒンジ軸４０は、縦壁部３８に片持ち状に保持されており、縦壁部３８の厚さ方向に延びている。
【００１７】
また、固定ブラケット部３６には、一対の貫通穴４２と、固定穴４４とが形成されている。この一対の貫通穴４２及び固定穴４４は、固定ブラケット部３６の板厚方向に貫通されている。固定ブラケット部３６の板厚方向視において、一対の貫通穴４２は、円形状に形成され、固定穴４４は、上底部４６及び下底部４８を有する概略台形状に形成されている。固定穴４４は、固定ブラケット部３６の板厚方向視において、ヒンジ軸４０と直交する方向に延びる長穴とされている。この固定穴４４は、ヒンジ部材３４の軽量化に寄与する。
【００１８】
図３〜図６に示されるように、ヒンジ部材３４は、一対のネジ５０によりアッパーカバー２２の内側に固定される。一対のネジ５０は、上述の一対の貫通穴４２（図７，図８参照）に挿通されると共に、アッパーカバー２２のネジ穴に螺入される。
【００１９】
図５，図６に示されるように、ヒンジ部材３４がアッパーカバー２２の内側に固定された状態において、固定ブラケット部３６は、本体装置１２の厚さ方向を板厚方向として配置される。また、固定穴４４は、上底部４６が下底部４８よりも本体装置１２の横幅方向の外側に位置するように配置される。
【００２０】
また、ヒンジ部材３４がアッパーカバー２２の内側に固定された状態において、縦壁部３８は、固定ブラケット部３６よりも本体装置１２の横幅方向の内側に配置され、ヒンジ軸４０は、縦壁部３８から本体装置１２の横幅方向の外側に向けて延出される。ヒンジ軸４０には、回転部材５２が装着され、同様に表示装置１４（図１参照）がヒンジ部材３４により本体装置１２と接続されることで、表示装置１４は、ヒンジ部材３４により本体装置１２に対して回動可能に支持される。
【００２１】
図３〜図６に示されるように、本体装置１２の内部には、複数のケーブル５４が配線されている。これらのケーブル５４は、例えば、同軸ケーブルであり、上述の表示装置１４（図１参照）の搭載部品と本体装置１２の内部部品とを接続する。表示装置１４の搭載部品は、例えば、カメラや無線通信用のアンテナ等であり、本体装置１２の内部部品は、例えば、メイン基板２８（図２参照）等である。
【００２２】
本体装置１２の内部において、ケーブル５４の一部は、固定ブラケット部３６に沿って配線されている。このケーブル５４の一部、つまり、ケーブル５４のうち固定ブラケット部３６に沿って配線された部分５４Ａは、本体装置１２の厚さ方向視において、ヒンジ部材３４のヒンジ軸４０と直交する方向（本体装置１２の前後方向）に延びている。
【００２３】
図３〜図６に示されるように、本体装置１２には、ヒンジ部材３４に対応してシート材５６が設けられている。シート材５６は、本体装置１２の厚さ方向を高さ方向とするアーチ状に形成されている。このシート材５６は、例えば、プラスチック製とされており、より具体的には、一対の基端部５８，６０と、頂部６２と、一対の側壁部６４，６６と、挿入部６８と、係止部７０とを有する（図９も参照）。
【００２４】
一対の基端部５８，６０は、矩形状に形成されており、一対の側壁部６４，６６は、シート材５６の高さ方向に延びて一対の基端部５８，６０と頂部６２とを繋いでいる。頂部６２は、シート材５６の高さ方向を厚さ方向として形成されている。挿入部６８は、他方の基端部６０から頂部６２側と反対側に突出して形成されており、係止部７０は、挿入部６８の先端に形成されている。挿入部６８は、他方の基端部６０よりも幅狭に形成されており、係止部７０は、挿入部６８よりも幅広で他方の基端部６０よりも幅狭に形成されている。
【００２５】
このシート材５６は、一対の基端部５８，６０（一対の側壁部６４，６６）が本体装置１２の横幅方向に対向するように配置される。また、一方の基端部５８は、他方の基端部６０に対して本体装置１２の横幅方向の内側に配置される。上述の固定穴４４は、一対の基端部５８，６０との関係においては、一方の基端部５８側に下底部４８を有すると共に他方の基端部６０側に上底部４６を有する。
【００２６】
図３，図５に示されるように、アッパーカバー２２には、ヒンジ部材３４に隣接して固定部７２が設けられている。この固定部７２は、ヒンジ部材３４よりも本体装置１２の横幅方向内側に配置されており、本体装置１２の厚さ方向を高さ方向として形成されている。一方の基端部５８は、本体装置１２の厚さに延びており、固定部７２におけるヒンジ部材３４と反対側の面に両面テープ７４（図６，図９参照）を介して接着される。一方、他方の基端部６０は、挿入部６８が固定穴４４に挿入されると共に、係止部７０が固定穴４４の出口側の縁部に係止されることにより、固定ブラケット部３６に固定されている。
【００２７】
シート材５６は、一方の基端部５８が固定部７２に固定された後、他方の基端部６０が固定ブラケット部３６に固定される。シート材５６の組付時に、係止部７０は、幅広の下底部４８側から固定穴４４に挿入される。この係止部７０は、固定穴４４を通過後、シート材５６の弾性力により、幅狭の上底部４６側に押し込まれ、固定穴４４の出口における上底部４６側の縁部７６（図７参照）に係止される。また、挿入部６８は、シート材５６の弾性力により、固定穴４４における上底部４６側の内壁面７８（図７参照）に当接される。
【００２８】
このようにシート材５６が本体装置１２に組み付けられた状態において、シート材５６は、ケーブル５４のうち固定ブラケット部３６に沿って配線された部分５４Ａを覆っている。このケーブル５４のうち固定ブラケット部３６に沿って配線された部分５４Ａは、固定部７２と固定穴４４との間を通っており、シート材５６の内側に挿入（遊挿）された状態とされている。
【００２９】
図１０に示されるように、ロアカバー２４は、ケーブル５４の配線及びシート材５６の組付が終了した後に、アッパーカバー２２に組み付けられる。ロアカバー２４がアッパーカバー２２に組み付けられた状態において、ヒンジ部材３４、ケーブル５４のうち固定ブラケット部３６に沿って配線された部分５４Ａ、及び、シート材５６は、ケース２０の内部に収容される。
【００３０】
シート材５６がケース２０の内部に収容された状態において、シート材５６の頂部６２は、ロアカバー２４に形成された当接部８０に当接される。また、頂部６２がロアカバー２４に当接された状態において、シート材５６は、弾性圧縮されており、ロアカバー２４に反発力を作用する状態とされる。さらに、ケース２０（ロアカバー２４）には、本体装置１２の横幅方向に対向する一対の規制壁８２，８４が形成されており、この一対の規制壁８２，８４は、一対の側壁部６４，６６を挟んだ両側から一対の側壁部６４，６６と当接される。
【００３１】
以上、本実施形態では、本体装置１２に設けられた左右一対のヒンジ部材３４のうち図２で右側に配置されるヒンジ部材３４及びその周辺部の構造について説明した。しかしながら、図２で左側に配置されるヒンジ部材３４及びその周辺部の構造は、図２で右側に配置されるヒンジ部材３４及びその周辺部の構造と同様の構造とされる。
【００３２】
ただし、一方のヒンジ部材３４の固定ブラケット部３６に沿って配線されるケーブル５４と、他方のヒンジ部材３４の固定ブラケット部３６に沿って配線されるケーブル５４とは、互いに表示装置１４側の接続先が異なる。つまり、一方のケーブル５４は、表示装置１４の搭載部品として、例えば、アンテナ等に接続され、他方のケーブル５４は、表示装置１４の搭載部品として、例えば、カメラ等に接続される。
【００３３】
次に、本実施形態の作用及び効果について説明する。
【００３４】
以上詳述したように、ケーブル５４のうち固定ブラケット部３６に沿って配線された部分５４Ａは、シート材５６に覆われている。したがって、ケーブル５４の配線及びシート材５６の組付が終了した後に、ロアカバー２４がアッパーカバー２２に組み付けられる場合でも、ケーブル５４がロアカバー２４及びアッパーカバー２２に噛み込まれることを抑制することができる。これにより、本体装置１２の組立時にケーブル５４が傷付くことを抑制することができる。
【００３５】
また、ケーブル５４がロアカバー２４及びアッパーカバー２２に噛み込まれることをシート材５６によって抑制できるので、ケーブル５４を固定ブラケット部３６（ロアカバー２４及びアッパーカバー２２の噛み合い部の近傍部）に配置することが可能になる。これにより、ヒンジ部材３４の周辺部でのケーブル５４の配線の自由度を上げることができると共に、ロアカバー２４及びアッパーカバー２２の組立性も向上させることができる。
【００３６】
また、シート材５６は、アーチ状に形成され、ケーブル５４のうち固定ブラケット部３６に沿って配線された部分５４Ａは、シート材５６の内側に挿入されている。したがって、ケーブル５４のうち固定ブラケット部３６に沿って配線された部分５４Ａをシート材５６によってしっかりと保護することができる。これにより、ケーブル５４がロアカバー２４及びアッパーカバー２２に噛み込まれることをより一層効果的に抑制することができる。
【００３７】
また、ケーブル５４のうち固定ブラケット部３６に沿って配線された部分５４Ａは、本体装置１２の厚さ方向視において、ヒンジ部材３４のヒンジ軸４０と直交する方向に延びている。ここで、上述の通り、ケーブル５４のうち固定ブラケット部３６に沿って配線された部分５４Ａは、シート材５６の内側に挿入（遊挿）されている。したがって、表示装置１４を開閉させた場合でも、ケーブル５４のうち固定ブラケット部３６に沿って配線された部分５４Ａがシート材５６に対してケーブル５４の長さ方向に移動することができる。これにより、表示装置１４の開閉に影響が生じたり、ケーブル５４がシート材５６に引っ張られたりするなどの不具合の発生を抑制することができる。
【００３８】
また、シート材５６は、先ず、一方の基端部５８が本体装置１２の固定部７２に両面テープ７４により接着される。そして、一方の基端部５８が固定部７２に固定された状態で、他方の基端部６０に形成された係止部７０が、固定ブラケット部３６の固定穴４４に挿入されると共に、この係止部７０が固定穴４４の出口側の縁部に係止されることで、シート材５６は、ヒンジ部材３４に組み付けられる。したがって、シート材５６の組付が容易であるので、シート材５６の組付時の作業性を向上させることができる。また、シート材５６のリワーク（組み付け直し）も容易であるので、シート材５６のリワーク時の作業性も向上させることができる。
【００３９】
また、ヒンジ部材３４の軽量化のために形成された穴を固定穴４４として利用しているので、ヒンジ部材３４（固定ブラケット部３６）の構造を簡素化することができる。
【００４０】
また、シート材５６は、本体装置１２の厚さ方向を高さ方向とすると共にロアカバー２４側に頂部６２を有するアーチ状に形成されており、頂部６２は、ロアカバー２４に当接されている。これにより、シート材５６が高さ方向に拘束されるので、他方の基端部６０に形成された係止部７０が固定穴４４から抜けることを抑制することができる。
【００４１】
しかも、シート材５６は、頂部６２がロアカバー２４に当接された状態において弾性圧縮されているので、固定穴４４からの係止部７０の抜けをより一層効果的に抑制することができる。
【００４２】
また、ケース２０（ロアカバー２４）には、本体装置１２の横幅方向に対向する一対の規制壁８２，８４が形成されており、この一対の規制壁８２，８４は、一対の側壁部６４，６６を挟んだ両側から一対の側壁部６４，６６と当接されている。したがって、この一対の側壁部６４，６６によってシート材５６を一対の側壁部６４，６６が対向する方向に拘束することができるので、台形状に形成された固定穴４４の下底部４８側（幅広側）から係止部７０が抜けることを抑制することができる。
【００４３】
次に、本実施形態の変形例について説明する。
【００４４】
上記実施形態では、「情報処理装置」の一例として、ノート型パーソナルコンピュータ１０について説明した。しかしながら、上述のケーブル５４、ヒンジ部材３４、及び、シート材５６を有する構造は、ノート型パーソナルコンピュータ以外の情報処理装置に適用されても良い。
【００４５】
また、シート材５６の一方の基端部５８は、好ましくは、両面テープ７４により固定部７２に接着されるが、両面テープ以外の固定具（例えば、ネジなど）により固定部７２に固定されても良い。
【００４６】
また、ケーブル５４及びシート材５６は、本体装置１２の左右両側にそれぞれ設けられているが、本体装置１２の左右両側のうちどちらか一方のケーブル５４及びシート材５６は、省かれても良い。
【００４７】
なお、上記複数の変形例のうち組み合わせ可能な変形例は、適宜、組み合わされて実施されても良い。
【００４８】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００４９】
なお、上述の本願の開示する技術の一態様に関し、更に以下の付記を開示する。
【００５０】
（付記１）
本体装置と、
前記本体装置側に閉じられた状態と、前記本体装置から開かれた状態とを取り得る表示装置と、
前記本体装置の内部に固定された固定ブラケット部を有し、前記表示装置を前記本体装置に対して回動可能に支持するヒンジ部材と、
前記表示装置の搭載部品と前記本体装置の内部部品とを接続すると共に、前記本体装置の内部において前記固定ブラケット部に沿って配線されたケーブルと、
前記ケーブルのうち前記固定ブラケット部に沿って配線された部分を覆うシート材と、
を備える情報処理装置。
（付記２）
前記シート材は、アーチ状に形成され、
前記ケーブルのうち前記固定ブラケット部に沿って配線された部分は、前記シート材の内側に挿入されている、
付記１に記載の情報処理装置。
（付記３）
前記ケーブルのうち前記固定ブラケット部に沿って配線された部分は、前記本体装置の厚さ方向視において、前記ヒンジ部材のヒンジ軸と直交する方向に延びている、
付記２に記載の情報処理装置。
（付記４）
前記シート材の一方の基端部は、前記本体装置に設けられた固定部に固定され、
前記シート材の他方の基端部には、前記固定ブラケット部に貫通して形成された固定穴に挿入された挿入部と、前記挿入部の先端に形成されて前記固定穴の出口側の縁部に係止された係止部とが形成されている、
付記２又は付記３に記載の情報処理装置。
（付記５）
前記固定穴は、前記一方の基端部側に下底部を有すると共に前記他方の基端部側に上底部を有する台形状に形成され、
前記挿入部は、前記固定穴における前記上底部側の内壁面に当接され、
前記係止部は、前記固定穴の出口における前記上底部側の縁部に係止されている、
付記４に記載の情報処理装置。
（付記６）
前記固定穴は、前記本体装置の厚さ方向視において、前記ヒンジ部材のヒンジ軸と直交する方向に延びる長穴である、
付記４又は付記５に記載の情報処理装置。
（付記７）
前記一方の基端部は、前記固定部に両面テープを介して接着されている、
付記４〜付記６のいずれか一項に記載の情報処理装置。
（付記８）
前記シート材は、前記本体装置の厚さ方向を高さ方向とするアーチ状に形成され、
前記一方の基端部は、前記本体装置の厚さに延びている、
付記４〜付記７のいずれか一項に記載の情報処理装置。
（付記９）
前記本体装置は、前記本体装置の厚さ方向に分割されたアッパーカバー及びロアカバーを有するケースを備え、
前記ヒンジ部材、前記ケーブルのうち前記固定ブラケット部に沿って配線された部分、及び、前記シート材は、前記ケースの内部に収容されている、
付記４〜付記８のいずれか一項に記載の情報処理装置。
（付記１０）
前記シート材は、前記本体装置の厚さ方向を高さ方向とすると共に前記ロアカバー側に頂部を有するアーチ状に形成され、
前記頂部は、前記ロアカバーに当接されている、
付記９に記載の情報処理装置。
（付記１１）
前記シート材は、前記頂部が前記ロアカバーに当接された状態において弾性圧縮されている、
付記１０に記載の情報処理装置。
（付記１２）
前記シート材は、前記一対の基端部と前記頂部とを繋ぐ一対の側壁部を有し、
前記ケースには、前記一対の側壁部を挟んだ両側から前記一対の側壁部と当接された一対の規制壁が形成されている、
付記１０又は付記１１に記載の情報処理装置。
（付記１３）
前記情報処理装置は、ノート型パーソナルコンピュータである、
付記１〜付記１２のいずれか一項に記載の情報処理装置。
【符号の説明】
【００５１】
１０  ノート型パーソナルコンピュータ（情報処理装置の一例）
１２  本体装置
１４  表示装置
２０  ケース
２２  アッパーカバー
２４  ロアカバー
３４  ヒンジ部材
３６  固定ブラケット部
４０  ヒンジ軸
４４  固定穴
４６  上底部
４８  下底部
５４  ケーブル
５４Ａ  ケーブルのうち固定ブラケット部に沿って配線された部分
５６  シート材
５８  一方の基端部
６０  他方の基端部
６２  頂部
６４，６６  一対の側壁部
６８  挿入部
７０  係止部
７２  固定部
７４  両面テープ
７６  縁部
７８  内壁面
８０  当接部
８２，８４  規制壁
【図１】
0006631083.tif 000002
【図２】
0006631083.tif 000003
【図３】
0006631083.tif 000004
【図４】
0006631083.tif 000005
【図５】
0006631083.tif 000006
【図６】
0006631083.tif 000007
【図７】
0006631083.tif 000008
【図８】
0006631083.tif 000009
【図９】
0006631083.tif 000010
【図１０】
0006631083.tif 000011